(57)【要約】【課題】ファール球と次に発射される遊技球が干渉することなくファール球を確実に回収し、球詰まりが発生しない遊技機を提供する。【解決手段】第１連通口２０は、発射装置７から発射される遊技球を遊技領域へ案内する発射レール２９ｂ，２９ａの外側に設けられており、該第１連通口２０の背面側上方には、発射された遊技球が遊技領域に到達せずに戻ったファール球を受け止めるファール球受け部２４が設けられ、該ファール球受け部２４に受け止められたファール球は、貯留皿１９に誘導される。【選択図】図６
2009291469.tif 000002
【特許請求の範囲】
【請求項１】
遊技機の前面側で遊技球を一時的に貯留し、該貯留した遊技球を発射装置の発射位置へ誘導する球受け皿と、
前記球受け皿の背面側の当板に形成された連通口を介して連通し、球払出装置から払い出された遊技球を貯留可能な貯留皿と、を備え、
前記連通口は、前記発射装置から発射される遊技球を遊技領域へ案内する発射レールの外側に設けられており、該連通口の背面側上方には、発射された遊技球が遊技領域に到達せずに戻ったファール球を受け止めるファール球受け部が設けられ、該ファール球受け部に受け止められたファール球は、前記貯留皿に誘導されることを特徴とする遊技機。
【請求項２】
前記ファール球受け部は、前記発射レールに一体的に形成されていることを特徴とする請求項１に記載の遊技機。
【発明の詳細な説明】
【技術分野】
【０００１】
本発明は、遊技機に関する。
【背景技術】
【０００２】
パチンコ機などの遊技機には、外枠に対して開閉可能な内枠に遊技盤が着脱可能に組み付けられ、該内枠には前面枠が開閉可能に設けられている。遊技盤には遊技領域を形成する内外レール（発射レール）が設けられており、その遊技領域には図柄表示装置（液晶表示装置）、遊技釘、入賞口、大入賞口、電動チューリップなどの盤面部品やアウトロなどが設けられている。
【０００３】
パチンコ機の前面下部にガラス枠と別体で設けられる前面枠には球受け皿が設けられている。球受け皿は、遊技球を一時的に貯留し、該貯留した遊技球を発射装置の発射位置へ誘導する。また、前面枠には発射ハンドルが設けられ、該発射ハンドルの操作により前面枠の背面側に設けられた発射装置を作動させる。発射装置は、球受け皿から発射位置に供給された遊技球を打球槌により打撃して発射レールを通じて遊技領域に向けて発射する。
【０００４】
近年、ホールでは、１円パチンコに代表される安価に遊技者が遊技できる営業形態が採用されており、一度に貸し出される遊技球の数が増大している。また、大当たり確率が低く（当たり易く）、大当たり一回の出球が少ない遊技機が実用化されており、大当たりするたびに、遊技者が球受け皿から溢れたわずかな余剰球を逐一ドル箱へ移しかえる必要性に迫られる。そこで、かかる事態を緩和するため、球受け皿に収容できる遊技球の収容量を増やすことが求められる。例えば遊技球の貯留領域を前面枠の前後方向（特許文献１，２）に拡大した様々な遊技機が提案されている。
【特許文献１】特開２００６−２０４５２１号公報
【特許文献２】特許第３９８８８６６号公報
【発明の開示】
【発明が解決しようとする課題】
【０００５】
しかしながら、上述した特許文献１，２の遊技機においては、球受け皿の貯留領域が前面枠の前後方向に拡大した結果、内枠に設けられる発射装置の位置が、遊技機を正面視して前面枠の左端部近傍に限られる。このように、遊技球の貯留領域の拡大によって、発射装置が設けられる位置は前面枠の左端部近傍となり、その結果球受け皿から発射装置に供給され発射位置にセットされた遊技球は、打球槌によりほぼ真上方向に発射レールに沿って遊技領域へ打ち出される。
【０００６】
よって、打球槌の打撃力の不足により発射レールより逆流した遊技球は、ほぼ垂直下方に自重により落下して球発射通路の真下に設けられたファール球回収部で回収され、球受け皿へ戻されるようになっている。
よって、ファール球が自由落下してファール球回収部で跳ねて、発射装置から次に発射される遊技球と交錯して更にファール球が発生するおそれがある。また、ファール球はファール球回収部で回収されて球受け皿に戻されるため、払出装置から払い出される遊技球と合流して球詰まりの原因にもなりうる。
【０００７】
本発明の目的は、上記従来技術の課題を解決し、ファール球と次に発射される遊技球が干渉することなくファール球を確実に回収し、球詰まりが発生しない遊技機を提供することにある。
【課題を解決するための手段】
【０００８】
本発明は上記目的を達成するため、次の構成を備えることを特徴とする。
遊技機の前面側で遊技球を一時的に貯留し、該貯留した遊技球を発射装置の発射位置へ誘導する球受け皿と、前記球受け皿の背面側の当板に形成された連通口を介して連通し、球払出装置から払い出された遊技球を貯留可能な貯留皿と、を備え、前記連通口は、前記発射装置から発射される遊技球を遊技領域へ案内する発射レールの外側に設けられており、該連通口の背面側上方には、発射された遊技球が遊技領域に到達せずに戻ったファール球を受け止めるファール球受け部が設けられ、該ファール球受け部に受け止められたファール球は、前記貯留皿に誘導されることを特徴とする。
【０００９】
前記ファール球受け部は、前記発射レールに一体的に形成されていることを特徴とする。
【発明の効果】
【００１０】
上述した遊技機を用いれば、ファール球受け部が、発射装置から発射される遊技球を遊技領域へ案内する発射レールの外側に設けられており、球受け皿と貯留皿を連通する連通口の背面側上方に、発射された遊技球が遊技領域に到達せずに戻ったファール球を受け止めるファール球受け部が設けられているので、ファール球が直接貯留皿に貯留されている遊技球に当たることがないので、ファール球が跳ねることなく確実に貯留皿へ回収することができる。
また、貯留皿へ誘導されたファール球は誘導方向下流側で球受け皿へ誘導されるので、球払出装置から連通口を通じて球受け皿へ払い出される遊技球と交錯して球詰まりが発生するのを防ぐこともできる。
更には、ファール球が発射装置へ直接戻ることが無いのでファール球が連続して発生することはなく、しかもファール球を再度発射装置へ誘導して遊技することができるので、遊技者の遊技継続性が損なわれることもない。
【００１１】
また、ファール球受け部は、球受け皿と貯留皿を連通する連通口の背面側上方、即ち遊技機前面より後方位置に設けられているので、当該連通口を通じて払出装置側へ異物を侵入する不正行為を防止することができる。
【００１２】
また、ファール球受け部は、発射レールに一体的に形成されていると、コンパクトに形成して省スペース化が図れるとともに、ファール球を確実に受け止めることができる。
【発明を実施するための最良の形態】
【００１３】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
先ずパチンコ機１の概略構成について説明すると、パチンコ機１の外形をなす外枠２に対してヒンジ４により内枠３（図２参照）が開閉可能に取り付けられ、該内枠３に対して前面を覆うように上前面枠（ガラス枠）５ａ及び下前面枠５ｂが開閉可能に取り付けられている。
【００１４】
内枠３の前面側には遊技盤６が設けられると共に該遊技盤６の下方には遊技領域へ向かって遊技球を発射する発射装置７（図４参照）が組み付けられている。また、遊技盤６の中央部には、図柄表示装置（液晶表示装置）８が設けられている。
【００１５】
また、図１において、下前面枠５ｂの下方には貸球や賞球等の遊技球を一時的に貯留し、該遊技球を発射装置７へ誘導する球受け皿９が組み付けられている。球受け皿９の右側には、発射装置７によって遊技領域へ発射される遊技球の発射力を調節するための発射ハンドル１０が設けられている。
【００１６】
図２において、内枠３の背面側上部には球タンク１１が設けられ、球タンク１１にはパチンコ機１が配置されたホールの島から遊技球が供給される。球タンク１１に供給された遊技球は、タンクレール１２を通じて上下に配置された誘導樋１３を通じて球払出装置１４へ供給される。球払出装置１４は、遊技盤６（図１参照）に設けられた入賞口に遊技球が入ると、払出通路１５を経て所定数の遊技球を賞球として球受け皿９（図３参照）へ払い出すようになっている。
また、内枠３の背面側中央部には、図柄表示装置８を制御する画像処理装置１６や球払出装置１４の払出制御基板１７などが設けられている。
【００１７】
また、図４において、下前面枠５ｂの当板１８の前面側に球受け皿９が組み付けられている。図３において、球受け皿９が組み付けられた当板１８の背面側には球払出装置１４から払い出された遊技球が球受け皿９へ誘導されなくなると該遊技球を貯留する貯留皿１９が組み付けられている。
図４において、球受け皿９と貯留皿１９とは、球払出装置１４より払い出された遊技球を優先的に球受け皿９に誘導する第１連通口２０と球受け皿９に誘導されずに貯留皿１９に貯留した遊技球を再度球受け皿９へ誘導する第２連通口２１により連通している。第１連通口２０は、球受け皿９を正面視して左端部（上流端）に、第２連通口２１は、球受け皿９を正面視して右端部（下流端）に各々設けられている。これにより、球受け皿９並びに貯留皿１９に貯留できる遊技球の容量を拡大できるので、遊技者の満タンに備える心理的負担が軽減される。
【００１８】
また、図３において、当板１８の背面側には、アウトロ２２（図１参照）から流下した遊技球を島に戻すためのアウト球回収路２３が上下方向に設けられている。また、第１連通口２０は、発射装置７から発射される遊技球を遊技領域へ案内する発射レール２９の外側に設けられている。第１連通口２０の背面側上方には、発射された遊技球が遊技領域に到達せずファール球として戻った当該ファール球を自重落下させて受け止めるファール球受け部２４が設けられている。このファール球受け部２４に受け止められたファール球は、貯留皿１９へ誘導され再度球受け皿９へ導かれる。
【００１９】
図４において、第１連通口２０より球受け皿９に払い出された遊技球は、上流側受け部９ａから仕切り壁２５に案内されて下流側受け部９ｂへ流下する。遊技球は下流側受け部９ｂから整流通路９ｃを通じて更に下方に導かれて、球供給口９ｄより整流器３１（図６参照）へ誘導される。
また、下流側受け部９ｂには、シャッター２６が開閉ボタン２７の操作より開閉可能に設けられている。球受け皿９に貯留された遊技球を図示しないドル箱に回収する場合に、遊技者が手動により開閉ボタン２７をスライド操作し続ける間だけシャッター２６が開いて遊技球を回収できるようになっている。
【００２０】
図５において、貯留皿１９は、第１連通口２０（上流側貯留部１９ａ）側が第２連通口２１（下流側貯留部１９ｂ）より高くなるように形成されている。即ち、第１連通口２０へ誘導されなかった遊技球は、貯留皿１９へ誘導されて第２連通口２１へ向けて流下するようになっている。第２連通口２１へ流下した遊技球は、下流側受け部９ｂに合流して整流通路９ｃを通じて整流器３１の球供給口９ｄ（図６参照）に向けて誘導される。また、貯留皿１９の前面側の一部には、アウトロ２２に連通するアウト球通路１９ｃが上下方向に仕切られて設けられている。アウト球通路１９ｃへ流下した遊技球は、アウト球回収路２３を通じて島へ回収されるようになっている。
【００２１】
図６において、当板１８の背面側と貯留皿１９の前面側との間には遊技球通過領域（空間部）２８が形成されている。発射装置７より発射された遊技球が、遊技球通過領域２８を通ってパチンコ機１上方の遊技領域へ打ち出されるようになっている。
【００２２】
このように、貯留皿１９と当板１８との間に設けられた遊技球通過領域（空間部）２８を通じて遊技球がパチンコ機１上方の遊技領域へ打ち出されるので、内枠３に設けられる発射装置７のレイアウト上の制約がなくなる。即ち、下前面枠５ｂの背面側に配置される貯留皿１９と当板１８との遊技球通過領域２８を発射通路とすることができるので、発射装置７の配置について設計上の自由度が拡大する。
また、貯留皿１９の遊技球通過領域２８に臨む前面側には発射レール２９の一部（下部発射レール２９ａ）が一体的に形成されている。下部発射レール２９ａは、貯留皿１９を当板１８に組み付けるだけで発射装置７のレール部３４と連続するように配置されるので組付け性が良く、遊技球の安定した発射動作を維持できる。尚、発射レール２９（下部発射レール２９ａ）は、当板１８の背面側に一体的に形成されていてもよい。
【００２３】
また、ファール球受け部２４は四方を仕切り壁に囲まれた箱形状のファール球受け部材３０の底部に形成されており、第１連通口２０の背面側の天板上に設けられている。このファール球受け部材３０には貯留皿１９へ連通するファール球通路３０ａが設けられている。ファール球受け部材３０は、発射装置７から発射されて遊技領域に到達せずに自重落下したファール球をファール球受け部２４で受け止めてファール球通路３０ａを通じて貯留皿１９へ誘導する。貯留皿１９に誘導されたファール球は、第２連通口２１を通じて再度球受け皿９へ誘導される。
【００２４】
このように、ファール球はファール球受け部２４により受け止められ直接貯留皿１９に貯留されている遊技球に当たることがないので、ファール球が跳ねることなく確実に貯留皿１９へ回収することができる。また、ファール球通路３０ａを通じて貯留皿１９へ誘導されたファール球は、第２連通口２１を通じて球受け皿９へ誘導されるので、球払出装置１４（図３参照）から第１連通口２０を通じて球受け皿９へ払い出される遊技球と交錯することもなく、第１連通口２０で球詰まりが発生するのを防ぐことができる。
【００２５】
また、ファール球受け部材３０は、球受け皿９と貯留皿１９を連通する第１連通口２０の背面側上方に設けられているので、当該第１連通口２０を通じて球払出装置１４へ異物を侵入する不正行為を防止することができる。
【００２６】
また、図６において、ファール球受け部材３０に発射装置７から発射される遊技球を案内する発射レール２９の一部（上部発射レール２９ｂ）が一体的に形成されていてもよい。この場合には、発射装置７のレール部３４及び下部レール部２９ａと連続するように上部発射レール２９ｂを配置できるので、遊技球の連続発射がスムーズに行なえる。
【００２７】
図１３において、発射装置７は、発射ハンドル１０（図４参照）を操作して起動するロータリーソレノイド或いはブラシレスモータなどを駆動源として打球槌３３を往復動若しくは回転させて、レール部３４の下方に設けられた発射位置に供給された遊技球Ｐが当該レール部３４、発射レール２９、遊技盤レール３６に各々ガイドされて遊技領域へ向けて打ち出される。
【００２８】
また、図７及び図１２において貯留皿１９の遊技球の誘導方向上流側には当該貯留皿１９に貯留した遊技球が所定貯留量に達したことを検出する満タン検出スイッチ（満タン検出手段）３５が設けられている。満タン検出スイッチ３５が満タンを検出すると、球払出装置１４（図２参照）の払い出し動作を停止し、払出個数を記憶部に記憶する。そして、遊技者が球受け皿９からドル箱に遊技球を抜き取って貯留皿１９に貯留された遊技球数が減ると、満タン検出スイッチ３５が満タンを検出しなくなる。すると、球払出装置１４により再度記憶部に記憶された未払いの遊技球の払い出し動作が開始されるようになっている。
【００２９】
ここで、図７乃至図１３を参照して、球払出装置１４などから球受け皿９に向けて払い出される遊技球の流れについて説明する。図７は、球受け皿９及び貯留皿１９の平面図であり、図８乃至図１３はその矢印Ａ−Ａ〜矢印Ｆ−Ｆ断面図である。
図８において、球払出装置１４（図３参照）から払い出された遊技球は、払出通路１５から第１連通口２０を通過して球受け皿９の上流側受け部９ａに誘導される。
図１０において、遊技球は球受け皿９の上流側受け部９ａから仕切り壁２５に沿って下流側受け部９ｂへ流下する。下流側受け部９ｂに流下した遊技球は、整流通路９ｃを経て誘導方向下流側に設けられた球供給口９ｄから整流器３１へ誘導される。整流器３１で整流された遊技球は発射装置７のレール部３４の発射位置へ供給される（図６参照）。
【００３０】
図１１及び図１２において、球受け皿９が遊技球で充填される（球受け皿９が満タン状態になる）と、払出通路１５を経て払い出された遊技球は、貯留皿１９の上流側貯留部１９ａに導かれる。そして、遊技球は上流側貯留部１９ａから下流側貯留部１９ｂへ流下するようになっている（図１２参照）。また、下流側貯留部１９ｂへ流下した遊技球は、第２連通口２１を通じて球受け皿９の下流側受け部９ｂにおいて合流して整流通路９ｃへと誘導される（図１１参照）。
【００３１】
図９は、アウト球Ｐ１の流れを示すものである。遊技盤６に設けられたアウトロ２２に進入したアウト球Ｐ１は、貯留皿１９の前面側に設けられたアウト球通路１９ｃを通過して流下する。そして、アウト球通路１９ｃからアウト球回収路２３を経てホールの島へ回収されるようになっている。
【００３２】
次に、球受け皿９及び貯留皿１９に貯留する遊技球の状態変化及び遊技球の流れとの関係について図１４乃至図１７を参照して説明する。
図１４において、払出通路１５から第１連通口２０を通じて球受け皿９に遊技球Ｐが払い出されて一時的に貯留している状態を示す。遊技球Ｐが発射装置７から遊技領域へ向けて発射されるにしたがって、上流側受け部９ａから下流側受け部９ｂ、整流通路９ｃを経て誘導方向下流側に設けられた発射装置７に向けて順次流下するようになっている。
【００３３】
図１５において、球受け皿９に貯留された遊技球が第１連通口２０より貯留皿１９側へ溢れ出した状態を示す。払出通路１５から払い出された遊技球Ｐは、第１連通口２０へ誘導されずに貯留皿１９の上流側貯留部１９ａより傾斜面に沿って流下し、下流側貯留部１９ｂで一時的に貯留される。下流側貯留部１９ｂで貯留された遊技球Ｐは、発射装置７から遊技領域へ向けて後続する遊技球Ｐが発射されるにしたがって、第２連通口２１を通じて球受け皿９の下流側受け部９ｂに貯留された遊技球Ｐと合流し、整流通路９ｃを経て発射装置７に向けて順次流下するようになっている。
【００３４】
以上のように球払出装置１４より払い出された遊技球Ｐを先ず第１連通口２０を介して球受け皿９に流下させ、球受け皿９が満タン状態になって当該球受け皿９へ遊技球Ｐが誘導されなくなると貯留皿１９への貯留が始まるようにしたため、遊技者は球受け皿９及び貯留皿１９の貯留状況をゆっくり視認でき、動揺せずにドル箱の準備などに余裕をもって対処できる。
また、仮に第１連通口２０付近で球払出装置１４より払い出された遊技球Ｐが球詰まりを起こしても、貯留皿１９を流下した遊技球は第２連通口２１を通じて球受け皿９に供給されるので、球切れを心配することなく遊技を継続できる。
【００３５】
図１６において、球受け皿９に貯留された遊技球Ｐが第１連通口２０より貯留皿１９側へ溢れ出しかつ貯留皿１９に貯留される遊技球Ｐが上流側貯留部１９ａに設けられた満タン検出スイッチ３５に検出された状態を示す。
このとき、球払出装置１４による遊技球の払出動作は停止され、残りの払出される遊技球の数は記憶部に記憶される。遊技者は、発射ハンドル１０を操作し続けて遊技を続行してもよいし、球受け皿９の開閉ボタン２７をスライド操作してシャッター２６を開放することで遊技球をドル箱に回収するようにしてもよい。貯留皿１９に貯留される遊技球Ｐが満タン検出スイッチ３５に検出されなくなると、球払出装置１４からの払い出し動作が再開される。
【００３６】
図１７において、発射装置７より発射された遊技球Ｐが遊技領域に届かずにファール球として戻った場合、図１３において遊技盤レール３６を離れると、自重により落下する。落下した遊技球（ファール球）Ｐは、ファール球受け部材３０（ファール球受け部２４）に受け止められ、ファール球通路３０ａを通じて貯留皿１９の上流側貯留部１９ａに誘導される。そして、遊技球Ｐは、上流側貯留部１９ａより傾斜面に沿って流下し、下流側貯留部１９ｂに誘導されて一時的に貯留される。下流側貯留部１９ｂに貯留された遊技球Ｐは、発射装置７の発射動作が進んで球受け皿９の遊技球Ｐが減るにしたがって、第２連通口２１を通じて球受け皿９の下流側受け部９ｂに貯留された遊技球Ｐと合流し、整流通路９ｃを経て発射装置７に向けて順次流下するようになっている。よって、ファール球が発射装置７へ直接戻ることが無いのでファール球が連続して発生することはなく、しかもファール球を貯留皿１９を介して球受け皿９から再度発射装置７へ誘導して遊技できるので、遊技者の遊技継続性が損なわれることもない。
【００３７】
上述した実施形態では遊技機の一例としてパチンコ機について説明したが、他の遊技機、例えば雀球遊技機やアレンジボール遊技機などに適用してもよい。
【図面の簡単な説明】
【００３８】
【図１】パチンコ機の正面図である。
【図２】パチンコ機の背面図である。
【図３】遊技球を貯留する球タンクから球払出装置を経て球受け皿に至る遊技球の流れを示す斜視図である。
【図４】球受け皿の正面側斜視説明図である。
【図５】球受け皿の背面側斜視説明図である。
【図６】貯留皿の前面側透視斜視図である。
【図７】球受け皿及び貯留皿の平面図である。
【図８】図７の矢印Ａ−Ａ断面図である。
【図９】図７の矢印Ｂ−Ｂ断面図である。
【図１０】図７の矢印Ｃ−Ｃ断面図である。
【図１１】図７の矢印Ｄ−Ｄ断面図である。
【図１２】図７の矢印Ｅ−Ｅ断面図である。
【図１３】図７の矢印Ｆ−Ｆ断面図である。
【図１４】払い出された遊技球の球受け皿への貯留状態を示す平面図である。
【図１５】払い出された遊技球の貯留皿への貯留状態を示す平面図である。
【図１６】貯留皿へ貯留された遊技球の満タン検出状態を示す平面図である。
【図１７】ファール球の回収経路を示す平面図である。
【符号の説明】
【００３９】
１  パチンコ機
２  外枠
３  内枠
４  ヒンジ
５ａ  上前面枠
５ｂ  下前面枠
６  遊技盤
７  発射装置
８  図柄表示装置
９  球受け皿
９ａ  上流側受け部
９ｂ  下流側受け部
９ｃ  整流通路
９ｄ  球供給口
１０  発射ハンドル
１１  球タンク
１２  タンクレール
１３  誘導樋
１４  球払出装置
１５  払出通路
１６  画像処理装置
１７  払出制御基板
１８  当板
１９  貯留皿
１９ａ  上流側貯留部
１９ｂ  下流側貯留部
１９ｃ  アウト球通路
２０  第１連通口
２１  第２連通口
２２  アウトロ
２３  アウト球回収路
２４  ファール球受け部
２５  仕切り壁
２６  シャッター
２７  開閉ボタン
２８  遊技球通過領域
２９  発射レール
３０  ファール球受け部材
３０ａ  ファール球通路
３１  整流器
３３  打球槌
３４  レール部
３５  満タン検出スイッチ
３６  遊技盤レール
【図１】
2009291469.tif 000003
【図２】
2009291469.tif 000004
【図３】
2009291469.tif 000005
【図４】
2009291469.tif 000006
【図５】
2009291469.tif 000007
【図６】
2009291469.tif 000008
【図７】
2009291469.tif 000009
【図８】
2009291469.tif 000010
【図９】
2009291469.tif 000011
【図１０】
2009291469.tif 000012
【図１１】
2009291469.tif 000013
【図１２】
2009291469.tif 000014
【図１３】
2009291469.tif 000015
【図１４】
2009291469.tif 000016
【図１５】
2009291469.tif 000017
【図１６】
2009291469.tif 000018
【図１７】
2009291469.tif 000019